(57)【要約】【課題】利用者にとって使い勝手の良い掲示板機能を有する画像処理装置及び掲示板プログラムを提供することを目的とする。【解決手段】少なくともスキャナ部を有する画像処理装置であって、スキャナ部１７より読み込んだ読込データから１つ以上の項目に対応する各領域を切り出し、その領域毎に文字内容又は図内容を認識する認識手段と、認識した文字内容又は図内容を項目と対応付けて記憶媒体１９に掲示板データとして書き込む登録手段と、記憶媒体１９に書き込まれた掲示板データを読み出し、その掲示板データを表示装置１５に表示して参照させる参照手段とを有することにより上記課題を解決する。【選択図】図２
2008236263.tif 000002
【特許請求の範囲】
【請求項１】
少なくともスキャナ部を有する画像処理装置であって、
前記スキャナ部より読み込んだ読込データから１つ以上の項目に対応する各領域を切り出し、その領域毎に文字内容又は図内容を認識する認識手段と、
認識した文字内容又は図内容を前記項目と対応付けて記憶媒体に掲示板データとして書き込む登録手段と、
前記記憶媒体に書き込まれた掲示板データを読み出し、その掲示板データを表示装置に表示して参照させる参照手段と
を有することを特徴とする画像処理装置。
【請求項２】
前記認識手段が認識した文字内容又は図内容を前記表示装置上で変更させる変更手段を更に有することを特徴とする請求項１記載の画像処理装置。
【請求項３】
前記認識手段は、文字内容を認識する前記領域を文字認識領域情報に基づいて判定することを特徴とする請求項１記載の画像処理装置。
【請求項４】
１つ以上の前記項目と各領域とを対応付けた認識領域情報を設定させる設定手段を更に有することを特徴とする請求項３記載の画像処理装置。
【請求項５】
前記認識手段は、前記認識領域情報に応じて印刷された掲示板登録フォーマット上に文字内容又は図内容が記載されている紙面を前記スキャナ部より読み込み、その読込データから１つ以上の項目に対応する各領域を前記認識領域情報に応じて切り出し、その領域毎に文字内容又は図内容を認識することを特徴とする請求項４記載の画像処理装置。
【請求項６】
前記参照手段は、前記記憶媒体に書き込まれた掲示板データを読み出し、操作パネル又はネットワーク経由で接続されたクライアントコンピュータの表示装置に掲示板データを表示して参照させることを特徴とする請求項１記載の画像処理装置。
【請求項７】
前記認識手段は、前記スキャナ部より読み込んだ読込データから１つ以上の項目に対応する各領域を切り出し、その領域毎に手書きの文字内容又は図内容を認識することを特徴とする請求項１乃至６何れか一項記載の画像処理装置。
【請求項８】
少なくともスキャナ部を有する画像処理装置を、
前記スキャナ部より読み込んだ読込データから１つ以上の項目に対応する各領域を切り出し、その領域毎に文字内容又は図内容を認識する認識手段と、
認識した文字内容又は図内容を前記項目と対応付けて記憶媒体に掲示板データとして書き込む登録手段と、
前記記憶媒体に書き込まれた掲示板データを読み出し、その掲示板データを表示装置に表示して参照させる参照手段と
して機能させる為の掲示板プログラム。
【請求項９】
前記認識手段が認識した文字内容又は図内容を前記表示装置上で変更させる変更手段として更に機能させる為の請求項８記載の掲示板プログラム。
【請求項１０】
前記認識手段に、文字内容を認識する前記領域を文字認識領域情報に基づいて判定するように機能させる為の請求項８記載の掲示板プログラム。
【請求項１１】
１つ以上の前記項目と各領域とを対応付けた認識領域情報を設定させる設定手段として更に機能させる為の請求項１０記載の掲示板プログラム。
【請求項１２】
前記認識手段に、前記認識領域情報に応じて印刷された掲示板登録フォーマット上に文字内容又は図内容が記載されている紙面を前記スキャナ部より読み込み、読込データから１つ以上の項目に対応する各領域を前記認識領域情報に応じて切り出し、その領域毎に文字内容又は図内容を認識するように機能させる為の請求項１１記載の画像処理装置。
【請求項１３】
前記参照手段に、前記記憶媒体に書き込まれた掲示板データを読み出させ、操作パネル又はネットワーク経由で接続されたクライアントコンピュータの表示装置に掲示板データを表示して参照させるように機能させる為の請求項８記載の掲示板プログラム。
【発明の詳細な説明】
【技術分野】
【０００１】
本発明は、画像処理装置及び掲示板プログラムに係り、特に掲示板機能を有する画像処理装置及び掲示板プログラムに関する。
【背景技術】
【０００２】
近年、オフィス等ではコピー機能，プリンタ機能，スキャナ機能，ＦＡＸ機能等を有する画像処理装置としてのデジタル複合機が一般的に設置されるようになった。このようなデジタル複合機は情報技術（ＩＴ）の進展に伴い、更なる多機能化が進められている。
【０００３】
また、オフィス等では従来のように情報を物理的に掲示する掲示板に代わって、情報を電子的に掲示する電子掲示板が利用されるようになった（例えば特許文献１）。通常、電子掲示板はサーバコンピュータによって実現される。電子掲示板の利用者はクライアントコンピュータをサーバコンピュータに接続し、情報の参照や登録を行う。
【特許文献１】特開２００４−３６２１０８号公報
【発明の開示】
【発明が解決しようとする課題】
【０００４】
更なる多機能化の一つとして、従来のデジタル複合機はサーバコンピュータによって実現していた電子掲示板の機能を設けることが考えられている。掲示板機能を有するデジタル複合機は、サーバコンピュータによって実現される場合と同様、利用者の操作するクライアントコンピュータから接続され、情報の参照や登録を行わせる。
【０００５】
しかしながら、従来のデジタル複合機は、サーバコンピュータによって実現していた電子掲示板の機能を設けただけであり、デジタル複合機の機能を利用して利用者の使い勝手を何ら向上させていないという問題があった。
【０００６】
本発明は、上記の点に鑑みなされたもので、利用者にとって使い勝手の良い掲示板機能を有する画像処理装置及び掲示板プログラムを提供することを目的とする。
【課題を解決するための手段】
【０００７】
上記の課題を解決するため、本発明は、少なくともスキャナ部を有する画像処理装置であって、前記スキャナ部より読み込んだ読込データから１つ以上の項目に対応する各領域を切り出し、その領域毎に文字内容又は図内容を認識する認識手段と、認識した文字内容又は図内容を前記項目と対応付けて記憶媒体に掲示板データとして書き込む登録手段と、前記記憶媒体に書き込まれた掲示板データを読み出し、その掲示板データを表示装置に表示して参照させる参照手段とを有することを特徴とする。
【０００８】
また、本発明は、少なくともスキャナ部を有する画像処理装置を、前記スキャナ部より読み込んだ読込データから１つ以上の項目に対応する各領域を切り出し、その領域毎に文字内容又は図内容を認識する認識手段と、認識した文字内容又は図内容を前記項目と対応付けて記憶媒体に掲示板データとして書き込む登録手段と、前記記憶媒体に書き込まれた掲示板データを読み出し、その掲示板データを表示装置に表示して参照させる参照手段として機能させる為の掲示板プログラムであることを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によれば、利用者にとって使い勝手の良い掲示板機能を有する画像処理装置及び掲示板プログラムを提供可能である。
【発明を実施するための最良の形態】
【００１１】
次に、本発明を実施するための最良の形態を、以下の実施例に基づき図面を参照しつつ説明していく。なお、本実施では画像処理装置としてのデジタル複合機を一例として説明するが、スキャナを有する他の画像処理装置であってもよい。
【００１２】
図１は本発明によるデジタル複合機を含むシステムの一例の構成図である。図１のシステムはデジタル複合機１，クライアントコンピュータ２ａ〜２ｎが、インターネットやＬＡＮなどのネットワーク３を介してデータ通信可能に接続されている。なお、クライアントコンピュータ２ａ〜２ｎの何れかを指す場合はクライアントコンピュータ２と呼ぶ。
【００１３】
デジタル複合機１は掲示板ソフトを有する。掲示板ソフトは、後述するように、手書きで作成された掲示内容をスキャナで読み込む機能、読み込んだ内容をパネルやＷＥＢで修正させる機能、掲示内容のアクセス権に応じて参照させる機能、パネルやＷＥＢで掲示内容を参照させる機能、文字及び図の両方を掲示内容として読み込む機能、文字及び図の両方を掲示内容として参照させる機能を有している。デジタル複合機１はＷＥＢサーバを有する。
【００１４】
クライアントコンピュータ２は掲示板機能の利用者が操作するものである。クライアントコンピュータ２はＷＥＢブラウザを有する。利用者はクライアントコンピュータ２を操作してデジタル複合機１に接続し、ＷＥＢで掲示内容の修正や参照を行う。なお、利用者はパネルからも掲示内容の修正や参照を行うことができる。
【００１５】
図２はデジタル複合機の一例のハードウェア構成図である。デジタル複合機１は、ＣＰＵ１１，通信装置制御ユニット１２，外部通信装置１３，パネル制御ユニット１４，パネル１５，スキャナ制御ユニット１６，スキャナ１７，記憶装置制御ユニット１８及び記憶媒体１９を有している。
【００１６】
ＣＰＵ１１は、通信装置制御ユニット１２，パネル制御ユニット１４，スキャナ制御ユニット１６及び記憶装置制御ユニット１８を利用することで、外部通信装置１３，パネル１５，スキャナ１７及び記憶媒体１９を操作できる。なお、記憶媒体１９には後述する掲示板データが記憶される。
【００１７】
図３はデジタル複合機の一例のソフトウェア構成図である。図３のデジタル複合機１は掲示板ソフト２１，文字認識ソフト（ＯＣＲ）２２，通信装置制御ソフト２３，スキャナ制御ソフト２４，パネル制御ソフト２５，記憶装置制御ソフト２６，アクセス制御ソフト２７，ＷＥＢソフト２８，各種制御ユニット（通信装置制御ユニット１２など）用デバイスドライバを含むＯＳ２９を有している。
【００１８】
図４は掲示板ソフトの一例の処理ブロック図である。図４の掲示板ソフト２１は掲示板ソフト主処理部３１，掲示板ソフト登録処理部３２，掲示板ソフト変更処理部３３，掲示板ソフト参照処理部３４を有するように機能する。なお、図３及び図４に示した構成の詳細は後述する。
【００１９】
図５は掲示板ソフトによる登録処理の手順を表したシーケンス図である。まず、利用者はパネル制御ソフト２５又はＷＥＢソフト２８によってパネル１５又はクライアントコンピュータ２のディスプレイに表示された図６のようなログイン画面から掲示板ソフト２１へのログインを要求する。図６はログイン画面の一例のイメージ図である。
【００２０】
ステップＳ１に進み、パネル制御ソフト２５又はＷＥＢソフト２８は掲示板ソフト２１の掲示板ソフト主処理部３１へ掲示板ログイン要求を行う。ステップＳ２に進み、掲示板ソフト主処理部３１はアクセス制御ソフト２７へログイン情報確認要求を行う。ステップＳ３に進み、掲示板ソフト主処理部３１はアクセス制御ソフト２７からログイン確認結果を受信する。ここでは、ログインが成功したものとして説明を続ける。
【００２１】
ステップＳ４に進み、掲示板ソフト主処理部３１は掲示板ログイン結果として図７のような選択画面をパネル制御ソフト２５又はＷＥＢソフト２８に送信し、パネル制御ソフト２５又はＷＥＢソフト２８によってパネル１５又はクライアントコンピュータ２のディスプレイに表示させる。図７は選択画面の一例のイメージ図である。図７の選択画面には登録処理を選択する登録ボタン７１，参照処理を選択する参照ボタン７２及びフォーマット設定処理を選択するフォーマット設定ボタン７３が設けられている。
【００２２】
利用者によって登録ボタン７１が押下されると、パネル制御ソフト２５又はＷＥＢソフト２８はステップＳ５に進み、掲示板ソフト２１の掲示板ソフト主処理部３１へ掲示板登録選択要求を行う。ステップＳ６に進み、掲示板ソフト主処理部３１は掲示板ソフト登録処理部３２に登録処理呼出要求を行う。
【００２３】
ステップＳ７に進み、掲示板ソフト登録処理部３２は図８のような登録画面をパネル制御ソフト２５又はＷＥＢソフト２８に送信し、パネル制御ソフト２５又はＷＥＢソフト２８によってパネル１５又はクライアントコンピュータ２のディスプレイに表示させる。図８は登録画面の一例のイメージ図である。図８の登録画面には読み取りをスタートさせる読取スタートボタン８１，読取条件設定ボタン８２が設けられている。
【００２４】
利用者は図９のような掲示板登録フォーマットが印刷された用紙に手書きで掲示内容を記載する。図９は掲示板登録フォーマットが印刷された用紙の掲示内容記載前のイメージ図である。また、図１０は掲示板登録フォーマットが印刷された用紙の掲示内容記載後のイメージ図である。図９及び図１０は掲示板の項目が件名，日時，対象，内容（文字），内容（図），アクセス権である例を表している。
【００２５】
利用者は図１０に示すように、掲示板登録フォーマットが印刷された用紙に手書きで掲示内容を記載したあと、その用紙をスキャナ１７によって読み込み可能な位置にセットして読取スタートボタン８１を押下する。
【００２６】
利用者によって読取スタートボタン８１が押下されると、パネル制御ソフト２５又はＷＥＢソフト２８はステップＳ８に進み、掲示板ソフト２１の掲示板ソフト登録処理部３２へ読込スタート指示要求を行う。ステップＳ９に進み、掲示板ソフト登録処理部３２はスキャナ制御ソフト２４へ読込指示要求を行う。スキャナ制御ソフト２４はスキャナ１７を制御して、図１０のような用紙を読み込む。ステップＳ１０に進み、スキャナ制御ソフト２４は図１０のような用紙から読み込んだ読込データを掲示板ソフト登録処理部３２へ送信する。
【００２７】
掲示板ソフト登録処理部３２は、後述するＯＣＲ領域情報および図内容領域情報に基づいて、読込データから文字内容及び図内容の項目に対応する各領域を切り出す。ステップＳ１１に進み、掲示板ソフト登録処理部３２は件名に対応する領域を文字認識ソフト２２に送信し、文字認識させる。ステップＳ１２に進み、掲示板ソフト登録処理部３２は件名に対応する文字内容として文字データを文字認識ソフト２２から受信する。また、同様にして、掲示板ソフト登録処理部３２は日時，対象者に対応する文字内容として文字データを文字認識ソフト２２から受信する。
【００２８】
ステップＳ１３に進み、掲示板ソフト登録処理部３２は内容（文字）に対応する領域を文字認識ソフト２２に送信し、文字認識させる。ステップＳ１４に進み、掲示板ソフト登録処理部３２は内容（文字）に対応する文字内容として文字データを文字認識ソフト２２から受信する。
【００２９】
また、ステップＳ１５に進み、掲示板ソフト登録処理部３２は内容（図）に対応する領域を図内容として記憶装置制御ソフト１８に送信する。記憶装置制御ソフト１８は受信した領域を図内容として記憶媒体１９に記憶する。ステップＳ１６に進み、掲示板ソフト登録処理部３２は記憶装置制御ソフト１８から内容（図）に対応する領域の書き込み結果を受信する。ここでは、書き込みが成功したものとして説明を続ける。
【００３０】
ステップＳ１７に進み、掲示板ソフト登録処理部３２はアクセス権に対応する領域を文字認識ソフト２２に送信し、文字認識させる。ステップＳ１８に進み、掲示板ソフト登録処理部３２はアクセス権に対応する文字内容として文字データを文字認識ソフト２２から受信する。
【００３１】
ステップＳ１９に進み、掲示板ソフト登録処理部３２は掲示板ソフト変更処理部３３に修正処理呼出要求を行う。ステップＳ２０に進み、掲示板ソフト変更処理部３３は図１１のような修正画面をパネル制御ソフト２５又はＷＥＢソフト２８に送信し、パネル制御ソフト２５又はＷＥＢソフト２８によって、パネル１５又はクライアントコンピュータ２のディスプレイに表示させる。図１１は修正画面の一例のイメージ図である。図１１の修正画面には図１０のような用紙から読み込んだ各項目に対応する文字内容、文字内容を項目毎に修正する為の修正ボタン１１１〜１１５、図１０のような用紙から読み込んだ各項目に対応する図内容を表示させる為の表示ボタン１１６、図内容を削除する為の削除ボタン１１７が含まれている。
【００３２】
利用者は修正ボタン１１１〜１１５の何れかを押下することにより、図１０のような用紙から読み込んだ各項目に対応する文字内容を例えば修正画面上で修正できる。また、利用者は削除ボタン１１７を押下することにより、図１０のような用紙から読み込んだ各項目に対応する図内容を削除できる。
【００３３】
ステップＳ２１に進み、パネル制御ソフト２５又はＷＥＢソフト２８は修正内容に基づく修正要求を掲示板ソフト変更処理部３３に対して行う。
【００３４】
ステップＳ２２に進み、掲示板ソフト変更処理部３３は修正要求に応じて文字内容又は図内容を更新した図１１の修正画面を、パネル制御ソフト２５又はＷＥＢソフト２８に送信し、パネル制御ソフト２５又はＷＥＢソフト２８によって、パネル１５又はクライアントコンピュータ２のディスプレイに再表示させる。
【００３５】
利用者による修正が終了すると、ステップＳ２３に進み、パネル制御ソフト２５又はＷＥＢソフト２８は修正終了を掲示板ソフト変更処理部３３に通知する。ステップＳ２４に進み、掲示板ソフト変更処理部３３は掲示板ソフト登録処理部３２に修正処理終了を通知する。
【００３６】
ステップＳ２５に進み、掲示板ソフト登録処理部３２は図１０のような用紙から読み込んだ各項目に対応する文字内容又は図内容を必要に応じて修正した後、掲示板データとして記憶装置制御ソフト１８に送信する。記憶装置制御ソフト１８は受信した掲示板データを記憶媒体１９に記憶する。
【００３７】
ステップＳ２６に進み、掲示板ソフト登録処理部３２は記憶装置制御ソフト１８から掲示板データの書き込み結果を受信する。ここでは、書き込みが成功したものとして説明を続ける。ステップＳ２７に進み、掲示板ソフト登録処理部３２は登録処理終了を掲示板ソフト主処理部３１へ通知する。
【００３８】
また、ステップＳ２８に進み、掲示板ソフト主処理部３１は掲示板登録終了をパネル制御ソフト２５又はＷＥＢソフト２８に通知し、パネル制御ソフト２５又はＷＥＢソフト２８によってパネル１５又はクライアントコンピュータ２のディスプレイに掲示板登録終了のメッセージ等を表示させる。
【００３９】
図１２は掲示板ソフトによる参照処理の手順を表したシーケンス図である。ステップＳ３１〜Ｓ３４の処理は図５のステップＳ１〜Ｓ４と同様である為、説明を省略する。
【００４０】
利用者によって参照ボタン７２が押下されると、パネル制御ソフト２５又はＷＥＢソフト２８はステップＳ３５に進み、掲示板ソフト２１の掲示板ソフト主処理部３１へ掲示板参照指示要求を行う。ステップＳ３６に進み、掲示板ソフト主処理部３１は掲示板ソフト参照処理部３４に参照処理呼出要求を行う。
【００４１】
ステップＳ３７に進み、掲示板ソフト参照処理部３４は記憶装置制御ユニット１８に掲示板データ読出指示要求を行う。記憶装置制御ソフト１８は掲示板データ読出指示要求に基づき、記憶媒体１９から１件の掲示板データを読み出す。
【００４２】
ステップＳ３８に進み、掲示板ソフト参照処理部３４は記憶装置制御ユニット１８から１件の掲示板データを受信する。ステップＳ３９に進み、掲示板ソフト参照処理部３４はアクセス制御ソフト２７へアクセス権確認要求を行う。ステップＳ４０に進み、掲示板ソフト参照処理部３４はアクセス制御ソフト２７からログイン確認結果を受信する。ここではアクセス権があるものとして説明を続ける。
【００４３】
ステップＳ４１〜Ｓ４４では、ステップＳ３７〜Ｓ４０と同様、掲示板ソフト参照処理部３４が、記憶媒体１９から１件の掲示板データを読み出し、その掲示板データへのアクセス権を確認する。ステップＳ４１〜Ｓ４４と同様な処理は、記憶媒体１９に記憶されている全ての掲示板データに対して行われている。
【００４４】
ステップＳ４１〜Ｓ４４と同様な処理が、記憶媒体１９に記憶されている全ての掲示板データに対して行われたあと、掲示板ソフト参照処理部３４は図１３，図１４のような参照画面を作成する。図１３は参照画面の一例のイメージ図である。図１４は新しい掲示板データが１件登録されたあとの参照画面の一例のイメージ図である。
【００４５】
ステップＳ４５に進み、掲示板ソフト参照処理部３４は図１３又は図１４のような参照画面をパネル制御ソフト２５又はＷＥＢソフト２８に送信し、パネル制御ソフト２５又はＷＥＢソフト２８によって、パネル１５又はクライアントコンピュータ２のディスプレイに表示させる。
【００４６】
利用者は、図１４の例えば図内容があることを表す文字「有」１４１を押下することにより、図１５のような図内容を表示させることができる。図１５は図内容が表示された参照画面の一例のイメージ図である。
【００４７】
図内容があることを表す文字「有」１４１を押下されると、パネル制御ソフト２５又はＷＥＢソフト２８はステップＳ４６に進み、図内容表示指示要求を掲示板ソフト参照処理部３４に対して行う。ステップＳ４７に進み、掲示板ソフト参照処理部３４は記憶装置制御ユニット１８に図内容読出指示要求を行う。記憶装置制御ユニット１８は記憶媒体１９から図内容を読み出す。
【００４８】
ステップＳ４８に進み、掲示板ソフト参照処理部３４は記憶装置制御ユニット１８から図内容を受信する。ステップＳ４９に進み、掲示板ソフト参照処理部３４は図１５のような図内容をパネル制御ソフト２５又はＷＥＢソフト２８に送信し、パネル制御ソフト２５又はＷＥＢソフト２８によって、パネル１５又はクライアントコンピュータ２のディスプレイに表示させる。
【００４９】
そして、利用者による参照画面の参照が終了すると、ステップＳ５０に進み、パネル制御ソフト２５又はＷＥＢソフト２８は参照画面表示終了を掲示板ソフト参照処理部３４に通知する。ステップＳ５１に進み、掲示板ソフト参照処理部３４は掲示板ソフト主処理部３１に参照処理終了を通知する。
【００５０】
図１６は掲示板ソフト主処理部の処理手順を示すフローチャートである。ステップＳ１０１に進み、掲示板ソフト主処理部３１は前述のステップＳ１〜Ｓ４に示したようなログイン処理を行う。ログインが成功すると、掲示板ソフト主処理部３１はステップＳ１０２に進み、利用者によって登録処理が選択されたかを判定する。
【００５１】
登録処理が選択されたと判定すると、掲示板ソフト主処理部３１はステップＳ１０３に進み、後述する掲示板ソフト登録処理を掲示板ソフト登録処理部３２に行わせたあと、ステップＳ１０４に進む。なお、登録処理が選択されていないと判定すると、掲示板ソフト主処理部３１はステップＳ１０２からステップＳ１０４に進む。
【００５２】
ステップＳ１０４では、掲示板ソフト主処理部３１が、利用者によって参照処理が選択されたかを判定する。
【００５３】
参照処理が選択されたと判定すると、掲示板ソフト主処理部３１はステップＳ１０５に進み、後述する掲示板ソフト参照処理を掲示板ソフト参照処理部３４に行わせたあと、ステップＳ１０５に進む。なお、参照処理が選択されていないと判定すると、掲示板ソフト主処理部３１はステップＳ１０４からステップＳ１０６に進む。
【００５４】
ステップＳ１０６では、掲示板ソフト主処理部３１が、利用者によってフォーマット設定処理が選択されたかを判定する。
【００５５】
フォーマット設定処理が選択されたと判定すると、掲示板ソフト主処理部３１はステップＳ１０７に進み、後述する掲示板ソフトフォーマット設定処理を掲示板ソフト登録処理部３２に行わせたあと、ステップＳ１０８に進む。なお、フォーマット設定処理が選択されていないと判定すると、掲示板ソフト主処理部３１はステップＳ１０６からステップＳ１０８に進む。
【００５６】
ステップＳ１０８では、掲示板ソフト主処理部３１が、利用者によって終了が選択されたかを判定する。
【００５７】
終了が選択されたと判定すると、掲示板ソフト主処理部３１は図１６に示す処理を終了する。終了が選択されていないと判定すると、掲示板ソフト主処理部３１はステップＳ１０２に戻り、処理を継続する。
【００５８】
図１７は掲示板ソフト登録処理の手順を示すフローチャートである。ステップＳ１５１に進み、掲示板ソフト登録処理部３２は読取条件の設定を取得する。ステップＳ１５２に進み、掲示板ソフト登録処理部３２は取得した読取条件を適用して図１０のような用紙を読み込む。
ステップＳ１５３に進み、掲示板ソフト登録処理部３２は後述するＯＣＲ件名認識処理を行う。ステップＳ１５４に進み、掲示板ソフト登録処理部３２は後述するＯＣＲ日時認識処理を行う。ステップＳ１５５に進み、掲示板ソフト登録処理部３２は後述するＯＣＲ対象者認証処理を行う。
【００５９】
ステップＳ１５６に進み、掲示板ソフト登録処理部３２は後述するＯＣＲ文字内容認識処理を行う。ステップＳ１５７に進み、掲示板ソフト登録処理部３２は後述する図内容認識処理を行う。ステップＳ１５８に進み、掲示板ソフト登録処理部３２は後述するＯＣＲアクセス権認識処理を行う。ステップＳ１５９に進み、掲示板ソフト登録処理部３２は後述する掲示板ソフト変更処理を掲示板ソフト変更処理部３３に行わせる。
【００６０】
そして、ステップＳ１６０に進み、掲示板ソフト登録処理部３２は図１８〜図２０に示すような掲示板データを記憶装置制御ソフト１８経由で記憶媒体１９に書き込む。図１８は掲示板データの項目の一例を表した説明図である。図１９及び図２０は掲示板データの一例の構成図である。
【００６１】
図２１はＯＣＲ件名認識処理の手順を示すフローチャートである。ステップＳ２０１に進み、掲示板ソフト登録処理部３２は図２２及び図２３に示すようなＯＣＲ領域情報を取得する。図２２はＯＣＲ領域情報の項目の一例を表した説明図である。図２３はＯＣＲ領域情報の一例の構成図である。ＯＣＲ領域情報は、読込データから切り出す領域を表している。
【００６２】
ステップＳ２０２に進み、掲示板ソフト登録処理部３２はＯＣＲ領域情報に基づいて読込データから件名に対応する領域を切り出し、件名の領域画像データを抽出する。ステップＳ２０３に進み、掲示板ソフト登録処理部３２は件名の領域画像データを文字認識ソフト２２によりＯＣＲ認識処理する。
【００６３】
ステップＳ２０４に進み、掲示板ソフト登録処理部３２はｎ文字以上認識できたかを判定する。ｎ文字以上認識できれば、掲示板ソフト登録処理部３２は、ステップＳ２０５に進み、認識した文字データを件名として設定する。ｎ文字以上認識できなければ、掲示板ソフト登録処理部３２はステップＳ２０６に進み、件名に空を設定する。
【００６４】
図２４はＯＣＲ日時認識処理の手順を示すフローチャートである。ステップＳ２１１に進み、掲示板ソフト登録処理部３２は図２２及び図２３に示すようなＯＣＲ領域情報を取得する。
【００６５】
ステップＳ２１２に進み、掲示板ソフト登録処理部３２はＯＣＲ領域情報に基づいて読込データから日時に対応する領域を切り出し、日時の領域画像データを抽出する。ステップＳ２１３に進み、掲示板ソフト登録処理部３２は日時の領域画像データを文字認識ソフト２２によりＯＣＲ認識処理する。
【００６６】
ステップＳ２１４に進み、掲示板ソフト登録処理部３２はｎ文字以上認識できたかを判定する。ｎ文字以上認識できれば、掲示板ソフト登録処理部３２は、ステップＳ２１５に進み、認識した文字データを日時として設定する。ｎ文字以上認識できなければ、掲示板ソフト登録処理部３２はステップＳ２１６に進み、日時に空を設定する。
【００６７】
図２５はＯＣＲ対象者認識処理の手順を示すフローチャートである。ステップＳ２２１に進み、掲示板ソフト登録処理部３２は図２２及び図２３に示すようなＯＣＲ領域情報を取得する。
【００６８】
ステップＳ２２２に進み、掲示板ソフト登録処理部３２はＯＣＲ領域情報に基づいて読込データから対象者に対応する領域を切り出し、対応者の領域画像データを抽出する。ステップＳ２２３に進み、掲示板ソフト登録処理部３２は対応者の領域画像データを文字認識ソフト２２によりＯＣＲ認識処理する。
【００６９】
ステップＳ２２４に進み、掲示板ソフト登録処理部３２はｎ文字以上認識できたかを判定する。ｎ文字以上認識できれば、掲示板ソフト登録処理部３２は、ステップＳ２２５に進み、認識した文字データを対象者として設定する。ｎ文字以上認識できなければ、掲示板ソフト登録処理部３２はステップＳ２２６に進み、対象者に空を設定する。
【００７０】
図２６はＯＣＲ文字内容認識処理の手順を示すフローチャートである。ステップＳ２３１に進み、掲示板ソフト登録処理部３２は図２２及び図２３に示すようなＯＣＲ領域情報を取得する。ステップＳ２３２に進み、掲示板ソフト登録処理部３２はＯＣＲ領域情報に基づいて読込データから文字内容に対応する領域を切り出し、文字内容の領域画像データを抽出する。ステップＳ２３３に進み、掲示板ソフト登録処理部３２は文字内容の領域画像データを文字認識ソフト２２によりＯＣＲ認識処理する。
【００７１】
ステップＳ２３４に進み、掲示板ソフト登録処理部３２はｎ文字以上認識できたかを判定する。ｎ文字以上認識できれば、掲示板ソフト登録処理部３２は、ステップＳ２３５に進み、認識した文字データを文字内容として設定する。ｎ文字以上認識できなければ、掲示板ソフト登録処理部３２はステップＳ２３６に進み、文字内容に空を設定する。
【００７２】
図２７はＯＣＲ図内容認識処理の手順を示すフローチャートである。ステップＳ２４１に進み、掲示板ソフト登録処理部３２は図内容領域情報を取得する。ステップＳ２４２に進み、掲示板ソフト登録処理部３２は図内容領域情報に基づいて読込データから図内容に対応する領域を切り出し、図内容の領域画像データを抽出する。
【００７３】
ステップＳ２４３に進み、掲示板ソフト登録処理部３２は、抽出した図内容の領域画像データのビットを確認する処理を行う。ステップＳ２４４に進み、掲示板ソフト登録処理部３２はステップＳ２４３におけるビットを確認する処理の結果に基づき、画像データが有るかを判定する。
【００７４】
画像が有れば、掲示板ソフト登録処理部３２はステップＳ２４５に進み、画像データをファイルに変換する。ステップＳ２４６に進み、掲示板ソフト登録処理部３２はファイルを図２８又は図２９に示すように記憶媒体１９へ保存する。図２８及び図２９は記憶媒体に保存した図内容ファイルの一例を表す説明図である。
【００７５】
ステップＳ２４７に進み、掲示板ソフト登録処理部３２は、図内容ファイルのファイル名を図内容として設定する。なお、ステップＳ２４４において画像が無ければ、掲示板ソフト登録処理部３２はステップＳ２４８に進み、図内容に空を設定する。
【００７６】
図３０はＯＣＲアクセス権認識処理の手順を示すフローチャートである。ステップＳ２５１に進み、掲示板ソフト登録処理部３２は図２２及び図２３に示すようなＯＣＲ領域情報を取得する。ステップＳ２５２に進み、掲示板ソフト登録処理部３２はＯＣＲ領域情報に基づいて読込データからアクセス権に対応する領域を切り出し、アクセス権の領域画像データを抽出する。ステップＳ２５３に進み、掲示板ソフト登録処理部３２はアクセス権の領域画像データを文字認識ソフト２２によりＯＣＲ認識処理する。
【００７７】
ステップＳ２５４に進み、掲示板ソフト登録処理部３２は、ｎ文字以上認識できたかを判定する。ｎ文字以上認識できれば、掲示板ソフト登録処理部３２は、ステップＳ２５５に進み、認識した文字データをアクセス権として設定する。なお、ｎ文字以上認識できなければ、掲示板ソフト登録処理部３２はステップＳ２５６に進み、アクセス権に空を設定する。
【００７８】
図３１は掲示板ソフト変更処理の手順を示すフローチャートである。なお、図３１のフローチャートは図１１のような修正画面をパネル１５に表示させる例を説明する。
【００７９】
ステップＳ３０１に進み、掲示板ソフト変更処理部３３は掲示板データを含む修正画面をパネルに表示する。ステップＳ３０２に進み、掲示板ソフト変更処理部３３は修正ボタン１１２が押下されて件名の修正が選択されたかを判定する。
【００８０】
件名の修正が選択されたと判定すると、掲示板ソフト変更処理部３３はステップＳ３０３に進み、例えば修正画面上で件名の修正を受け付けた後、ステップＳ３０４に進む。件名の修正が選択されていないと判定すると、掲示板ソフト変更処理部３３はステップＳ３０４に進む。
【００８１】
ステップＳ３０４では、掲示板ソフト変更処理部３３が、修正ボタン１１１が押下されて日時の修正が選択されたかを判定する。日時の修正が選択されたと判定すると、掲示板ソフト変更処理部３３はステップＳ３０５に進み、例えば修正画面上で日時の修正を受け付けた後、ステップＳ３０６に進む。日時の修正が選択されていないと判定すると、掲示板ソフト変更処理部３３はステップＳ３０６に進む。
【００８２】
ステップＳ３０６では、掲示板ソフト変更処理部３３が、修正ボタン１１３が押下されて対象者の修正が選択されたかを判定する。対象者の修正が選択されたと判定すると、掲示板ソフト変更処理部３３はステップＳ３０７に進み、例えば修正画面上で対象者の修正を受け付けた後、ステップＳ３０８に進む。対象者の修正が選択されていないと判定すると、掲示板ソフト変更処理部３３はステップＳ３０８に進む。
【００８３】
ステップＳ３０８では、掲示板ソフト変更処理部３３が、修正ボタン１１４が押下されて文字内容の修正が選択されたかを判定する。
【００８４】
文字内容の修正が選択されたと判定すると、掲示板ソフト変更処理部３３はステップＳ３０９に進み、例えば修正画面上で文字内容の修正を受け付けた後、ステップＳ３１０に進む。文字内容の修正が選択されていないと判定すると、掲示板ソフト変更処理部３３はステップＳ３１０に進む。
【００８５】
ステップＳ３１０では、掲示板ソフト変更処理部３３が、削除ボタン１１７が押下されて図内容の削除が選択されたかを判定する。図内容の削除が選択されたと判定すると、掲示板ソフト変更処理部３３はステップＳ３１１に進み、図内容を削除する。ステップＳ３１１に続いてステップＳ３１２に進み、掲示板ソフト変更処理部３３は図内容に空を設定した後、ステップＳ３１３に進む。図内容の削除が選択されていないと判定すると、掲示板ソフト変更処理部３３はステップＳ３１３に進む。
【００８６】
ステップＳ３１３では、掲示板ソフト変更処理部３３が、修正ボタン１１５が押下されてアクセス権の修正が選択されたかを判定する。アクセス権の修正が選択されたと判定すると、掲示板ソフト変更処理部３３はステップＳ３１４に進み、例えば修正画面上でアクセス権の修正を受け付けた後、ステップＳ３１５に進む。アクセス権の修正が選択されていないと判定すると、掲示板ソフト変更処理部３３はステップＳ３１５に進む。
【００８７】
そして、ステップＳ３１５に進み、掲示板ソフト変更処理部３３はログイン情報としてログイン名を、登録した掲示板データの作成者として登録する。
【００８８】
図３２は掲示板ソフト参照処理の手順を示すフローチャートである。ステップＳ４０１に進み、掲示板ソフト参照処理部３４は掲示板データのパネル１５への表示が可能かを確認する。表示が可能でなければ（Ｓ４０２においてＮＯ）、掲示板ソフト参照処理部３４は処理を終了する。表示が可能であれば（Ｓ４０２においてＹＥＳ）、掲示板ソフト参照処理部３４はステップＳ４０３に進み、掲示板データの読み出しを試みる。
【００８９】
ステップＳ４０４に進み、掲示板ソフト参照処理部３４は掲示板データが有るかを判定する。掲示板データが無ければ（Ｓ４０４においてＮＯ）、掲示板ソフト参照処理部３４は処理を終了する。なお、掲示板データが有れば（Ｓ４０４においてＹＥＳ）、掲示板ソフト参照処理部３４はステップＳ４０５に進み、アクセス制御ソフト２７へアクセス権を確認する。
【００９０】
ステップＳ４０６に進み、掲示板ソフト参照処理部３４は掲示板データのアクセス権の有無を判定する。アクセス権が無ければ（Ｓ４０６においてＮＯ）、掲示板ソフト参照処理部３４はステップＳ４０１に戻る。アクセス権が有れば（Ｓ４０６においてＹＥＳ）、掲示板ソフト参照処理部３４は、ステップＳ４０７に進み、掲示板データをパネル１５に表示する。
【００９１】
ステップＳ４０８に進み、掲示板ソフト参照処理部３４は図内容にファイル名が有るか否かを判定する。ファイル名が有れば、掲示板ソフト参照処理部３４はステップＳ４０９に進み、パネル１５に「有」を表示したあと、ステップＳ４０１に戻る。ファイル名が無ければ、掲示板ソフト参照処理部３４はステップＳ４１０に進み、パネルに「無」を表示したあと、ステップＳ４０１に戻る。
【００９２】
図３３は掲示板ソフトフォーマット設定処理の手順を示すフローチャートである。ステップＳ５０１に進み、掲示板ソフト登録処理部３２は後述する件名ＯＣＲ領域設定処理を行う。ステップＳ５０２に進み、掲示板ソフト登録処理部３２は後述する日時ＯＣＲ領域設定処理を行う。ステップＳ５０３に進み、掲示板ソフト登録処理部３２は後述する対象者ＯＣＲ領域設定処理を行う。ステップＳ５０４に進み、掲示板ソフト登録処理部３２は後述する文字内容ＯＣＲ領域設定処理を行う。ステップＳ５０５に進み、掲示板ソフト登録処理部３２は後述する図内容ＯＣＲ領域設定処理を行う。ステップＳ５０６に進み、掲示板ソフト登録処理部３２は後述するアクセス権ＯＣＲ領域設定処理を行う。
【００９３】
なお、フォーマット設定処理は図４１及び図４２に示すようなフォーマット設定画面から行われる。図４１はフォーマット設定画面の一例のイメージ図である。図４２は日時のＯＣＲ領域情報を設定しているフォーマット設定画面のイメージ図である。
【００９４】
図４１のフォーマット設定画面において修正ボタン４１２が押下されると、掲示板ソフト登録処理部３２は件名ＯＣＲ領域設定処理を開始する。図３４は件名ＯＣＲ領域設定処理の手順を示すフローチャートである。ステップＳ５１１に進み、掲示板ソフト登録処理部３２は件名のＯＣＲ領域情報を取得する。
【００９５】
ステップＳ５１２に進み、掲示板ソフト登録処理部３２は図４２と同様なフォーマット設定画面を用いて、後述するＯＣＲ領域座標設定処理により件名のＯＣＲ領域情報を設定させる。ステップＳ５１３に進み、掲示板ソフト登録処理部３２は設定された件名のＯＣＲ領域情報を書き込む。
【００９６】
図４１のフォーマット設定画面において修正ボタン４１１が押下されると、掲示板ソフト登録処理部３２は日時ＯＣＲ領域設定処理を開始する。図３５は日時ＯＣＲ領域設定処理の手順を示すフローチャートである。ステップＳ５２１に進み、掲示板ソフト登録処理部３２は日時のＯＣＲ領域情報を取得する。
【００９７】
ステップＳ５２２に進み、掲示板ソフト登録処理部３２は図４２に示すフォーマット設定画面を用いて、後述するＯＣＲ領域座標設定処理により日時のＯＣＲ領域情報を設定させる。ステップＳ５２３に進み、掲示板ソフト登録処理部３２は設定された日時のＯＣＲ領域情報を書き込む。
【００９８】
図４１のフォーマット設定画面において修正ボタン４１３が押下されると、掲示板ソフト登録処理部３２は対象者ＯＣＲ領域設定処理を開始する。図３６は対象者ＯＣＲ領域設定処理の手順を示すフローチャートである。ステップＳ５３１に進み、掲示板ソフト登録処理部３２は対象者のＯＣＲ領域情報を取得する。
【００９９】
ステップＳ５３２に進み、掲示板ソフト登録処理部３２は図４２と同様なフォーマット設定画面を用いて、後述するＯＣＲ領域座標設定処理により対象者のＯＣＲ領域情報を設定させる。ステップＳ５３３に進み、掲示板ソフト登録処理部３２は設定された対象者のＯＣＲ領域情報を書き込む。
【０１００】
図４１のフォーマット設定画面において修正ボタン４１４が押下されると、掲示板ソフト登録処理部３２は文字内容ＯＣＲ領域設定処理を開始する。図３７は文字内容ＯＣＲ領域設定処理の手順を示すフローチャートである。ステップＳ５４１に進み、掲示板ソフト登録処理部３２は文字内容のＯＣＲ領域情報を取得する。
【０１０１】
ステップＳ５４２に進み、掲示板ソフト登録処理部３２は図４２と同様なフォーマット設定画面を用いて、後述するＯＣＲ領域座標設定処理により文字内容のＯＣＲ領域情報を設定させる。ステップＳ５４３に進み、掲示板ソフト登録処理部３２は設定された文字内容のＯＣＲ領域情報を書き込む。
【０１０２】
図４１のフォーマット設定画面において修正ボタン４１５が押下されると、掲示板ソフト登録処理部３２は図内容ＯＣＲ領域設定処理を開始する。図３８は図内容ＯＣＲ領域設定処理の手順を示すフローチャートである。ステップＳ５５１に進み、掲示板ソフト登録処理部３２は図内容のＯＣＲ領域情報を取得する。
【０１０３】
ステップＳ５５２に進み、掲示板ソフト登録処理部３２は図４２と同様なフォーマット設定画面を用いて、後述するＯＣＲ領域座標設定処理により図内容のＯＣＲ領域情報を設定させる。ステップＳ５５３に進み、掲示板ソフト登録処理部３２は設定された図内容のＯＣＲ領域情報を書き込む。
【０１０４】
図４１のフォーマット設定画面において修正ボタン４１６が押下されると、掲示板ソフト登録処理部３２はアクセス権ＯＣＲ領域設定処理を開始する。図３９はアクセス権ＯＣＲ領域設定処理の手順を示すフローチャートである。ステップＳ５６１に進み、掲示板ソフト登録処理部３２はアクセス権のＯＣＲ領域情報を取得する。
【０１０５】
ステップＳ５６２に進み、掲示板ソフト登録処理部３２は図４２と同様なフォーマット設定画面を用いて、後述するＯＣＲ領域座標設定処理によりアクセス権のＯＣＲ領域情報を設定させる。ステップＳ５６３に進み、掲示板ソフト登録処理部３２は設定されたアクセス権のＯＣＲ領域情報を書き込む。
【０１０６】
図４０はＯＣＲ領域座標設定処理の手順を示すフローチャートである。ステップＳ６００に進み、掲示板ソフト登録処理部３２は図４２のようなフォーマット設定画面に現在のＯＣＲ領域座標を表示する。
【０１０７】
ステップＳ６０１に進み、開始Ｘ座標が修正されると、掲示板ソフト登録処理部３２はステップＳ６０２に進み、開始Ｘ座標をパネル１５から設定した後、ステップＳ６０３に進む。開始Ｘ座標が修正されなければ、掲示板ソフト登録処理部３２はステップＳ６０３に進む。
【０１０８】
ステップＳ６０３に進み、開始Ｙ座標が修正されると、掲示板ソフト登録処理部３２はステップＳ６０４に進み、開始Ｙ座標をパネル１５から設定した後、ステップＳ６０５に進む。開始Ｙ座標が修正されなければ、掲示板ソフト登録処理部３２はステップＳ６０５に進む。
【０１０９】
ステップＳ６０５に進み、幅が修正されると、掲示板ソフト登録処理部３２はステップＳ６０６に進み、幅をパネル１５から設定した後、ステップＳ６０７に進む。幅が修正されなければ、掲示板ソフト登録処理部３２はステップＳ６０７に進む。
【０１１０】
ステップＳ６０７に進み、高さが修正されると、掲示板ソフト登録処理部３２はステップＳ６０８に進み、高さをパネル１５から設定した後、処理を終了する。高さが修正されなければ、掲示板ソフト登録処理部３２は処理を終了する。図４０のＯＣＲ領域座標設定処理によれば、各項目のＯＣＲ領域情報を設定することができる。
【０１１１】
本発明は、具体的に開示された実施例に限定されるものではなく、特許請求の範囲から逸脱することなく、種々の変形や変更が可能である。
【図面の簡単な説明】
【０１１２】
【図１】本発明によるデジタル複合機を含むシステムの一例の構成図である。
【図２】デジタル複合機の一例のハードウェア構成図である。
【図３】デジタル複合機の一例のソフトウェア構成図である。
【図４】掲示板ソフトの一例の処理ブロック図である。
【図５】掲示板ソフトによる登録処理の手順を表したシーケンス図である。
【図６】ログイン画面の一例のイメージ図である。
【図７】選択画面の一例のイメージ図である。
【図８】登録画面の一例のイメージ図である。
【図９】掲示板登録フォーマットが印刷された用紙の掲示内容記載前の一例のイメージ図である。
【図１０】掲示板登録フォーマットが印刷された用紙の掲示内容記載後のイメージ図である。
【図１１】修正画面の一例のイメージ図である。
【図１２】掲示板ソフトによる参照処理の手順を表したシーケンス図である。
【図１３】参照画面の一例のイメージ図である。
【図１４】新しい掲示板データが１件登録されたあとの参照画面の一例のイメージ図である。
【図１５】図内容が表示された参照画面の一例のイメージ図である。
【図１６】掲示板ソフト主処理部の処理手順を示すフローチャートである。
【図１７】掲示板ソフト登録処理の手順を示すフローチャートである。
【図１８】掲示板データの項目の一例を表した説明図である。
【図１９】掲示板データの一例の構成図である。
【図２０】掲示板データの一例の構成図である。
【図２１】ＯＣＲ件名認識処理の手順を示すフローチャートである。
【図２２】ＯＣＲ領域情報の項目の一例を表した説明図である。
【図２３】ＯＣＲ領域情報の一例の構成図である。
【図２４】ＯＣＲ日時認識処理の手順を示すフローチャートである。
【図２５】ＯＣＲ対象者認識処理の手順を示すフローチャートである。
【図２６】ＯＣＲ文字内容認識処理の手順を示すフローチャートである。
【図２７】ＯＣＲ図内容認識処理の手順を示すフローチャートである。
【図２８】記憶媒体に保存した図内容ファイルの一例を表す説明図である。
【図２９】記憶媒体に保存した図内容ファイルの一例を表す説明図である。
【図３０】ＯＣＲアクセス権認識処理の手順を示すフローチャートである。
【図３１】掲示板ソフト変更処理の手順を示すフローチャートである。
【図３２】掲示板ソフト参照処理の手順を示すフローチャートである。
【図３３】掲示板ソフトフォーマット設定処理の手順を示すフローチャートである。
【図３４】件名ＯＣＲ領域設定処理の手順を示すフローチャートである。
【図３５】日時ＯＣＲ領域設定処理の手順を示すフローチャートである。
【図３６】対象者ＯＣＲ領域設定処理の手順を示すフローチャートである。
【図３７】文字内容ＯＣＲ領域設定処理の手順を示すフローチャートである。
【図３８】図内容ＯＣＲ領域設定処理の手順を示すフローチャートである。
【図３９】アクセス権ＯＣＲ領域設定処理の手順を示すフローチャートである。
【図４０】ＯＣＲ領域座標設定処理の手順を示すフローチャートである。
【図４１】フォーマット設定画面の一例のイメージ図である。
【図４２】日時のＯＣＲ領域情報を設定しているフォーマット設定画面のイメージ図である。
【符号の説明】
【０１１３】
１    デジタル複合機
２，２ａ〜２ｎ    クライアントコンピュータ
３    ネットワーク
１１    ＣＰＵ
１２    通信装置制御ユニット
１３    外部通信装置
１４    パネル制御ユニット
１５    パネル
１６    スキャナ制御ユニット
１７    スキャナ
１８    記憶装置制御ユニット
１９    記憶媒体
２１    掲示板ソフト
２２    文字認識ソフト（ＯＣＲ）
２３    通信装置制御ソフト
２４    スキャナ制御ソフト
２５    パネル制御ソフト
２６    記憶装置制御ソフト
２７    アクセス制御ソフト
２８    ＷＥＢソフト
２９    ＯＳ
３１    掲示板ソフト主処理部
３２    掲示板ソフト登録処理部
３３    掲示板ソフト変更処理部
３４    掲示板ソフト参照処理部
【図１】
2008236263.tif 000003
【図２】
2008236263.tif 000004
【図３】
2008236263.tif 000005
【図４】
2008236263.tif 000006
【図５】
2008236263.tif 000007
【図６】
2008236263.tif 000008
【図７】
2008236263.tif 000009
【図８】
2008236263.tif 000010
【図９】
2008236263.tif 000011
【図１０】
2008236263.tif 000012
【図１１】
2008236263.tif 000013
【図１２】
2008236263.tif 000014
【図１３】
2008236263.tif 000015
【図１４】
2008236263.tif 000016
【図１５】
2008236263.tif 000017
【図１６】
2008236263.tif 000018
【図１７】
2008236263.tif 000019
【図１８】
2008236263.tif 000020
【図１９】
2008236263.tif 000021
【図２０】
2008236263.tif 000022
【図２１】
2008236263.tif 000023
【図２２】
2008236263.tif 000024
【図２３】
2008236263.tif 000025
【図２４】
2008236263.tif 000026
【図２５】
2008236263.tif 000027
【図２６】
2008236263.tif 000028
【図２７】
2008236263.tif 000029
【図２８】
2008236263.tif 000030
【図２９】
2008236263.tif 000031
【図３０】
2008236263.tif 000032
【図３１】
2008236263.tif 000033
【図３２】
2008236263.tif 000034
【図３３】
2008236263.tif 000035
【図３４】
2008236263.tif 000036
【図３５】
2008236263.tif 000037
【図３６】
2008236263.tif 000038
【図３７】
2008236263.tif 000039
【図３８】
2008236263.tif 000040
【図３９】
2008236263.tif 000041
【図４０】
2008236263.tif 000042
【図４１】
2008236263.tif 000043
【図４２】
2008236263.tif 000044